(57)【要約】      （修正有）【課題】ハンドピース本体とケース本体を流動体の連通を図る目的でそれぞれを回転方向に廻して位置決めして嵌合する場合であって、該嵌合をドクターなど操作者に手の感触をもって知らしめる部材間接合部構造を提供する。【解決手段】第１の部材１５０と第２の部材１５１を流動体の連通を図ることで互いの部材を嵌合する接合構造において、第１と第２の部材をバネ１６５に抗して押し込んだ状態で双方を回転することにより、第１の部材の突出部１６０が第２の部材の凹部１６１位置に来た際に、前記突出部が前記バネ力により前記凹部に嵌入することでその嵌入時のショックを操作者に伝えることを特徴とする部材間接合部構造。【選択図】図１
0003103624.tif 000002
【実用新案登録請求の範囲】
【請求項１】
第１の部材と第２の部材とに流動体の連通を図ることで、それぞれの部材を脱着自在に連結する接合手段と、前記第２の部材から第１の部材へ駆動力を伝達する伝動手段とからなり、
前記接合手段が第１の部材と第２の部材のいずれか一方にインサート部を設けるとともに、他方に前記インサート部を同芯状に受け入れる軸穴を設け、かつ前記インサート部の周方向にバネにより出入する一以上の出入部材を配置するとともに、前記軸穴には前記インサート部を嵌入して前記出入部材に対応する位置の内周に凹溝を設けることにより前記第１の部材と第２の部材を回転自在にし、さらに前記流動体が第２部材から第１部材へ連通する特定位置で前記第１の部材と第２の部材の回転を停止する突出部を第１の部材と第２の部材のいずれかに設けるとともに、他方の部材に前記突出部を嵌入する凹部を設けた接続構造において、
前記突出部を出入自在にしたバネを設けることにより、前記インサート部を軸穴に挿入して前記バネを収縮して前記出入部材を前記凹溝に嵌入してから前記第１と第２部材のいずれか又は双方を回転し、前記突出部を前記バネ力で前記凹部内に嵌合することで前記第１の部材と第２の部材を接合したことを特徴とする部材間接合部構造。
【請求項２】
前記第１の部材がハンドピース本体で第２の部材がモータや圧力エアーを通すケース本体であり、前記流動体が水、空気、もしくは光であり、駆動力の伝達手段がコンプレッサーからの圧縮空気か、モータからの回転軸である前記請求項１に記載の部材間接合部構造。
【考案の詳細な説明】
【技術分野】
【０００１】
本考案は部材間接合部構造に関し、特にハンドピース本体とモータケース本体等の部材間を接続するための構造に関する。
【背景技術】
【０００２】
歯科用ハンドピースにおける、歯科処置工具がヘッド部に装着されるハンドピース本体と、歯科処置工具の駆動源となるモーターを収容するモーターケースとを接続するための構造としては、従来から、ＩＳＯ３９６４−１９７７年（国際規格）によるＥタイプ接続構造やカプラー方式による接続構造が一般的に採用されている。
【０００３】
Ｅタイプ接続構造は、図９に示すように、ハンドピース本体６０後方のシーズ部６１にモーターケース７０前方のインサート部７１を挿通すると共に、シーズ部内周後端のフック掛け６２にインサート部外周基端に設けたフック７２を掛け止めることによって本体６０とケース７０とを連結するものであり、この連結に伴い、モーター出力伝達部材である各カップリング６３，７３も互いに接続される。以上の連結を解く場合は、モーターケース７０のプッシュノブ７４を押し下げることにより、スプリング７５によって常時外側（径方向）に付勢されているフック７２を内側に若干変位させてフック掛け６２から外し、この状態でハンドピース本体６０をモーターケース７０から引き離すようにする。
【０００４】
カプラー方式接続構造は、図１０に示すように、ハンドピース本体８０後端のインサート部８１をモーターケース９０前端のシーズ部９１に挿通すると共に、インサート部外周の凹部８２にシーズ部９１に配したボール９２を落し込んで本体８０−ケース９０間を連結するものであり、同時に各カップリング８３，９３間も接続する。この連結を解くには、モーターケース９０のカプラー指押し９４を前方にずらしてボール９２の外側への若干の変位を許容した状態でハンドピース本体８０をモーターケース９０から引き抜くようにする。
【０００５】
しかし、上記図９と図１０ではハンドピース本体とモーターケースが連結はできるものの、チップエアとしての圧縮空気や水、及び治療部位を照射する光を送る光ファイバーなどの流動体１６，１６’と１７，１７’及び１８，１８’をケース本体７０，９０からハンドピース本体６０，８０へ送るために両者が廻らないようにする位置決め装置が必要である。
【０００６】
そこで、本件実用新案登録出願人が所有する特許第３０６０２１１号の接合構造は、図３乃至図８に示すように、ヘッド部１０に歯科用工具３０を付けたハンドピース本体５０のインサート部材５２をケース本体５１の軸穴５３に挿入して環状凸部６２に当接した際、リング部材５４を図４の点線か図６に描かれたように位置する平常位置としての偏芯位置（図８（イ））からスプリング５６に抗して同芯位置に変位（図８（ロ））させ、さらにインサート部材５２を押し込んでリング部材５４のケース本体５１の内側にあるインサート部材５２の根元にある環状溝５５に位置（図８（ハ））した際、スプリング５６でリング部材５４が環状溝５５と嵌合する形で偏芯位置に復帰し、このリング部材５４と環状溝５５によってハンドピース本体５０とケース本体５１を抜けないよう連結させるものである。この場合、単に連結させるだけでなく、ケース本体５１からハンドピース本体５０に抜ける圧縮水の通路５７’，５７、圧縮空気の通路５８’，５８及び光を送る光ファイバー５９’，５９の位置決めが必要となり、その位置決めによりハンドピース本体５０とケース本体５１の相互の回転を規制するのがハンドピース本体５０側の位置決めピン６０とこれを嵌入するケース本体５１側の位置決め用穴６１である。
なお、リング部材５４はインサート部５２を押してテーパ部２２を通してその環状溝５５に嵌まることでハンドピース本体５０とケース本体５１を係合するものであり、この状態からプッシュノブ２６をバネ２５に抗して押すと同時にハンドピース本体５０とケース本体５１を引き離す。
【特許文献１】特許第３０６０２１１号公報
【考案の開示】
【考案が解決しようとする課題】
【０００７】
しかしながら、上記従来技術における目測で差し込む場合は、位置決めのピン６０の径と位置決め用穴６１径が数 m/m程度と極めて小さく位置合せが困難である。したがって、インサート部５２を軸穴５３に入れて互いに廻してから位置決めピン６０を位置決め用穴６１に嵌入するということは目測でないというメリットはあるものの、位置決めピンが位置決め用穴に入る前に同穴の同径にある環状凸部６２を擦ってから位置決め用穴に入れるため位置決めピンが摩滅する他に、ピンが位置決め用穴に入ったとしても操作者にとって確実に入ったという確認が難しく、そのために不十分な嵌合のままでハンドピースを操作するという危険があった。
【０００８】
本考案は、上記不都合を解消したものであり、その目的とするところは、単にインサート部を軸穴に挿入して、ハンドピース本体かケース本体、あるいは双方を廻わすだけで位置決めピンを弾性をもって前記環状凸部６０に当てながら位置決め用穴に嵌入するだけでなく、確実に入ったことを操作者の方で確認できる部材間接合部構造を提供することにある。
【課題を解決するための手段】
【０００９】
本考案の部材間接合構造は、上記目的を達成するためになされたもりであり、
その要旨は、第１の部材と第２の部材とに流動体の連通を図ることで、それぞれの部材を脱着自在に連結する接合手段と、前記第２の部材から第１の部材へ駆動力を伝達する伝動手段とからなり、前記接合手段が第１の部材と第２の部材のいずれか一方にインサート部を設けるとともに、他方に前記インサート部を同芯状に受け入れる軸穴を設け、かつ前記インサート部の周方向にバネにより出入する一以上の出入部材を配置するとともに、前記軸穴には前記インサート部を嵌入して前記出入部材に対応する位置の内周に凹溝を設けることにより前記第１の部材と第２の部材を回転自在にし、さらに前記流動体が第２部材から第１部材へ連通する特定位置で前記第１の部材と第２の部材の回転を停止する突出部を第１の部材と第２の部材のいずれかに設けるとともに、他方の部材に前記突出部を嵌入する凹部を設けた接続構造において、前記突出部を出入自在にしたバネを設けることにより、前記インサート部を軸穴に挿入して前記バネを収縮して前記出入部材を前記凹溝に嵌入してから前記第１と第２部材のいずれか又は双方を回転し、前記突出部を前記バネ力で前記凹部内に嵌合することで前記第１の部材と第２の部材を接合したことにある。
【００１０】
即ち、本部材間接合部構造は、第１の部材１５０のインサート部１５２を第２の部材１５１の軸穴１５３に挿入し、出入部材１６６を凹溝１６７に嵌入して、バネ１６５を圧縮した状態で突出部１６０を環状凸部１６２に当接し、前記第１と第２の部材のいずれか又は双方を廻すことで前記バネ１６５の力により突出部１６０を凹部１６１内へ嵌入する感触を手指に伝えることにより第１と第２の部材の位置決めが行なわれる。
一方、第１の部材１５０を第２の部材１５１から外すには手指で両部材を握って引き離すことにより、突出部１６０が凹部１６１から外れるとともに、出入部材１６６が凹溝１６７から離すことにより達成する。
【考案の効果】
【００１１】
以上述べたように、本考案の部材間接合部構造によれば、単に突出部１６０を設けたものではなく、突出部１６０を出入自在にしたバネを設けたことにより、小さな突出部１６０と凹部１６１を目測により合致させなくても、インサート部１５２を軸穴１２１に差し込むだけで出入部材１６６が凹溝に嵌入することでハンドピース本体１５０とモータケース１５１の引き抜きを阻止するとともに、ハンドピース本体１５０とモータケース１５１における流動体を連通させるために、ハンドピース本体とモータケースのいずれか、又は双方を回転させるだけで突出部１６０をバネ１６５によって凹部内に嵌入することができる。この場合、手元で突出部１６０が凹部内に入る感触が掴めるため流動体の連通を確実にすることができる。なお、嵌合したハンドピース本体とモータケースとは、引き抜きのみにより、バネ１６５とバネ１８２を伸長して、引き離すことができる。
【実施例】
【００１２】
以下、本考案の部材間接合部構造の好ましい実施例を図１と図２により説明する。なお、本考案の各部の符号が前記従来例と同等箇所には同一番号に１００を加えたものとする。
図１及び図２は、歯科用ハンドピースにおけるハンドピース本体１５０とモータケース１５１を分離して示す側面図とそのＡ−Ａ’断面図であり、本考案に係る部材間接合部構造によって互いに接続される第１の部材及び第２の部材が上記ハンドピース本体１５０とモータケース２０に相当する。
このハンドピースは、ハンドピース本体１５０のヘッド部に装着した歯科処置工具に対し、モータケース１５１に収容したモータを駆動源として、シャフト（ハンドピース本体側のみ記載）、歯車等のモータ伝達部材を介して回転駆動力を伝達するものであり、また歯科用ユニット（図示せず）を流体源として、このユニットとモータケース１５１と連通する歯科用ホース、及びモータケース１５１やハンドピース本体１５０に配設した流体通路（圧縮水の流体通路１１７’、圧縮空気の流体通路１１６’及び光ファイバーである光の通路）を介して、治療個所に対してチップエア、あるいは冷却水を供給したり、光を照射することができる。従って、ハンドピース本体１５０とモータケース１５１との連結には、モータ出力伝達部材、流体通路（エア）及び光路の各接続を行なう。
【００１３】
本実施例はＥタイプのものであり、ハンドピース本体１５０の後端部におけるハウジング１５０’内には、その中心軸１８０を一致させて後述するインサート部１５２を挿入する軸穴１２１が設けられ、軸穴１２１内にモータケース側からのモータ軸（図示せず）と係合するモータ軸１８１を設け、モータ軸の左端には歯科用処置工具を回転させるギア等が配置されている（図示せず）。
【００１４】
また、前記軸穴１２１の入口部内周には、インサート部１５２を挿入合致した場合にインサート部１５２の左右に設けた出入部材１６６を嵌入する円状の凹溝１６７を設けている。
また、このハンドピース本体１５０のハウジング１５０’の後端の同心円状の筒部１５０”には帽子状の突出部１６０が内設したバネ１６５によって収縮可能に一部埋設して突設されている。
なお、この前記軸穴１２１の中心軸上には、モータケース１５１側からのモータ軸（図示せず）を係合して回転する回転軸１８１を配置している。
【００１５】
一方、モータケース１５１にはケース本体の左端に前記筒部１５０”に当接する環状凸部１６２を設け、この凸部１６２の中央に前記軸穴１２１に嵌入するインサート部１５２がモータ軸（図示せず）を内装して突出している。また、インサート部１５２の根元部の左右には、図２に示す、出入部材１６６がバネ１８２で出入可能に配置されている。
なお、１１６’はモータケース側の圧縮空気としての流体通路であり、インサート部１５２が軸穴１２１に嵌合した際に、ハンドピース本体１５０側の穴１１６”と合致し、また１１７’はモータケース側の圧縮水としての流体通路であり、上記同様インサート部１５２が軸穴に嵌合した際に、ハンドピース本体１５０側の穴１１７”と合致し、それぞれが図示しないハンドピース本体の左側のヘッド部から歯の治療部に噴出するようにしている。また、３つのリング状のシール材１８３はインサート部材１５２を軸穴に嵌合した際の、各流体通路１１６’，１１７’と穴１１６”と１１７”の流体漏れを防止している。
【００１６】
つぎに、ハンドピース本体１５０とモータケース１５１の嵌合形成と、それからの引き抜きについて説明する。
まず、軸穴１２１に対してインサート部１５２を挿通するとインサート部１５２の２個の出入部材１６６がハンドピース本体１５０の凹溝１６７内にバネ１８２を利用して嵌入する。この場合、突出部１６０は環状凸部１６２にバネ１６５を収縮して当接している。ついで、ハンドピース本体とモータケース１５１のいずれか、又は双方ほ廻すことにより、前記突出部１６０が凹部１６１内にバネ力で突出して回転が阻止され、その場合、前記各流体通路１１６’，１１７’と穴１１６”，１１７”が連通する。
【産業上の利用可能性】
【００１７】
本考案は、Ｅタイプのハンドピースの他にカプラー方式のハンドピース等の流動体を接続して用いている部材間接合部構造の用途に適用できる。
【図面の簡単な説明】
【００１８】
【図１】本考案の部材間の接合構造を説明する一部を破断した要部縦断面図である。
【図２】図１のＡ−Ａ’断面図である。
【図３】従来の歯科用ハンドピースにおけるハンドピース本体とモータケースとを分離して示す側面図である。
【図４】図３のモータケースの正面図である。
【図５】従来の歯科用ハンドピースにおけるハンドピース本体とモータケースとを分離して示す斜視図である。
【図６】図３のＢ−Ｂ’断面図である。
【図７】図４のリング部材を示す斜視図である。
【図８】図３のインサート部を軸穴に挿入して凹溝に出入部材を嵌合させるまでの動作説明図である。
【図９】従来のＥタイプ接続構造を破断して示す断面図である。
【図１０】従来のカプラー方式による接続構造を破断して示す断面図である。
【符号の説明】
【００１９】
１５０  第１の部材（ハンドピース本体）
１５１  第２の部材（モータケース）
１５２  インサート部
１２１  軸穴
１６０  突出部
１６５  バネ
１６２  環状凸部
１６１  凹部
【図１】
0003103624.tif 000003
【図２】
0003103624.tif 000004
【図３】
0003103624.tif 000005
【図４】
0003103624.tif 000006
【図５】
0003103624.tif 000007
【図６】
0003103624.tif 000008
【図７】
0003103624.tif 000009
【図８】
0003103624.tif 000010
【図９】
0003103624.tif 000011
【図１０】
0003103624.tif 000012